(57)【要約】  特にガスボンベ充填のための、確実で磨耗が低レベルの迅速接続コネクタであって、媒体が通過するための入口（２）および出口（３）とを具えるハウジング（１）と、出口（３）の区域内に設けられ、特にコレット（５）を有する迅速接続装置（４）と、摺動スリーブ（８）の凹部（８’）に偏心ディスク（１２）により係合する操作装置（７）とを有する迅速接続コネクタを創造するために、凹部（８’）が、偏心ディスクが偏心結合し、操作装置（７）が旋回すると長手軸（１’）に対して横方向に変位する摺動ブロック（９）を有するよう提案する。【選択図】  図４
2013536375.tif 000002
【特許請求の範囲】
【請求項１】
媒体が通過するための入口（２）および出口（３）とを具えるハウジング（１）と、前記出口（３）の区域内に設けられ、特にコレット（５）を有する迅速接続装置（４）と、摺動スリーブ（８）の凹部（８’）に係合する操作装置（７）とを有する迅速接続コネクタであって、前記操作装置（７）が旋回すると長手軸（１’）に対して横方向に変位する摺動ブロック（９）を前記凹部（８’）に具える迅速接続コネクタ。
【請求項２】
前記摺動スリーブ（８）は、密封ピストン（６）に軸方向移動可能にボルト（１０）により接続されることを特徴とする請求項１に記載の迅速接続コネクタ。
【請求項３】
前記摺動スリーブ（８）と前記密封ピストン（６）との間の前記ボルト（１０）あるいは各ボルト（１０）は、溝（１３）に係合することを特徴とする請求項２に記載の迅速接続コネクタ。
【請求項４】
前記摺動スリーブ（８）は前記ハウジング（１）を取り囲み、前記密封ピストン（６）と連結するための各ボルト（１０）は、前記ハウジング（１）のスロット（１１）を通過することを特徴とする請求項３に記載の迅速接続コネクタ。
【請求項５】
前記操作装置（７）は、前記ハウジング（１）に搭載され、特に前記ハウジング（１）の両側面に前記長手軸（１’）に対称的に搭載される旋回レバー（７’）を具えることを特徴とする請求項1乃至４のいずれか１項に記載の迅速接続コネクタ。
【請求項６】
前記旋回レバー（７’）は、前記長手軸（１’）に対し略直角の開位置から前記長手軸（１’）に対し略平行の接続位置に、約９０度旋回可能であることを特徴とする請求項５に記載の迅速接続コネクタ。
【請求項７】
前記摺動ブロック（９）は略正方形で、長方形の前記凹部（８’）に前記摺動スリーブ（８）の軸方向ストロークに略等しい遊びをもって嵌合することを特徴とする請求項1乃至６のいずれか１項に記載の迅速接続コネクタ。
【請求項８】
前記凹部（８’）は前記摺動ブロック（９）のための制限停止部位（A）を形成することを特徴とする請求項1乃至７のいずれか１項に記載の迅速接続コネクタ。
【発明の詳細な説明】
【技術分野】
【０００１】
本願発明は迅速接続コネクタに関し、特にガスボンベを充填するための迅速接続コネクタに関する。
【背景技術】
【０００２】
このような迅速接続コネクタは、本願出願人の米国特許第５、５７５，５１０号から周知である。この米国特許には、特にガスボンベを充填するために使用する、使いやすく迅速接続の継ぎ手が記載される。このようなガスボンベにおいては、より強いばね力を有するバルブが益々多く使用されており、その結果、迅速接続の継ぎ手において、付勢を発生するための圧縮ばねを増加することができ、遮断が容易となる。しかしながら、この機構、特に制御ディスクを有する駆動装置には強い力が要請される。これは約９０度の枠内で回転するので、多数の線接触が発生し、その結果、強いばね力での制御ディスクおよび枠は磨耗が多く起こりやすくなり、このため動きが困難になりうる。
【先行技術文献】
【特許文献】
【０００３】
【特許文献１】米国特許第５、５７５，５１０号
【発明の概要】
【発明が解決しようとする課題】
【０００４】
したがって、本発明は、特に少ない磨耗で、安全で信頼性のある迅速な接続を可能にする上述した種類の迅速接続コネクタを提供することを目的とする。
【課題を解決するための手段】
【０００５】
上記目的は、請求項１に記載の構成要素を具える、特にガスボンベを充填するための迅速接続コネクタにより達成される。本発明の好ましい実施例は請求項１に従属する請求項に記載される。
【０００６】
迅速接続コネクタは、好ましくは、異なる輪郭（断面形状）を有する雌ねじ、雄ねじ、溝等、異なる輪郭（断面形状）に連結するためのコレット（口金）を具える。このコレットの輪郭は、例えばノズルやガスボンベバルブの接続ねじ山の係合輪郭に相補するように作られる。本発明に係る迅速接続コネクタは、摺動スリーブが密封ピストンと直接連通する構成により単純化される。このようにして、効果的に、迅速接続コネクタの操作は、密封ピストンに要求されるアクチュエータとの直接的な係合を行うことなく、摺動スリーブがハウジングに対して相対的に移動することのみで十分である。密封ピストンの最適な密封を可能にするために、摺動スリーブは密封ピストンに相対的に移動可能に接続されることが好ましい。この目的のため、摺動スリーブと密封ピストンの間に、ボルトが非常に単純な構成で設けられる。システム圧力を追加することにより末端区域における最適な密封条件が実現できるように、密封ピストンはまた出口にむかって付勢されることが好ましい。このような改良されたガスボンベバルブに対する逆圧として、強いばねを使用することができ、このような本発明に係る摺動ブロックの使用により表面圧力が減少し、その結果磨耗は著しく低下する。
【０００７】
操作手段、特にガスボンベバルブの範囲にわたって旋回するブラケット形状の操作手段、がハウジングに搭載の旋回レバーとして形成されることが好ましい。このブラケットは両側から操作できるので、ガスボンベへの接続する際の取り扱いが容易になる。このブラケットは湾曲した旋回レバーのように形成することもできる。この旋回レバーはハウジングの長尺軸上に搭載され、長尺軸に略直角、約９０度、の開位置から閉位置に移動することができる。この旋回移動と、これと同時に行われる摺動スリーブの摺動移動とにより、均一の力が伝達される。旋回ブラケットがハウジングの両側に搭載され、摺動スリーブへの移動の伝達に使用される偏心ディスクを有する場合は、特にそうである。この目的のため、偏心ディスクは摺動ブロックを経由して摺動スリーブの凹部に係合し、極めてコンパクトで滑らかな移動動作の構造が実現し、これによりまた表面圧力が減少し、耐久性が向上する。
【０００８】
摺動ブロックはそれぞれ、凹部を例えば１５ｍｍ上下移動することができ、また安定した制限停止部位を提供する。同時に、旋回レバーの開位置および閉位置はこのように構造的に単純な方法で規定される。
【０００９】
本発明のさらなる詳細と特徴は、本発明の実施例の詳細な説明と添付図面により、明確になるであろう。
【図面の簡単な説明】
【００１０】
【図１】本願発明に係る迅速接続コネクタの接続位置における部分断面側面図である。
【図２】図１の迅速接続コネクタの中間位置における部分断面側面図である。
【図３】図１の迅速接続コネクタの開位置における部分断面側面図である。
【図４】図３（円形切り取り部分に等しい）における迅速接続コネクタの全体図である。
【発明を実施するための形態】
【００１１】
図１は、接続部分品あるいはガスボンベバルブ（図示せず）との接続位置における本発明に係る迅速接続コネクタの実施例を示す。この迅速接続コネクタは、ハウジング１を具え、このハウジング１は媒体がハウジング１を通過するための入口２および出口３（図４参照）を有する。媒体は、特に気体である。入口２において、この場合は気体源から、媒体を供給するためのチューブやホースが接続される（図示せず）。出口３の区域には迅速接続装置４が設けられる。この迅速接続装置４は好ましくはコレット５と、ハウジング１内に摺入する密封ピストン６と、旋回レバー７’の形状である操作装置７を具える。摺動スリーブ８が円筒形のハウジング１に導入され、ばね（図示せず）により出口３の方向に付勢される。
【００１２】
図１乃至図３に示すように、摺動スリーブ８はスロット１１を介してハウジング１内を（この場合では、上部から及び底部から）通過するねじ込みボルト１０を有し、各ねじ込みボルト１０はハウジング１の長手軸１’に平行に向けられる。ボルト１０はそれぞれその端部で溝１３に係合する。溝１３は長手軸１’に平行、すなわち整列する密封ピストン６に平行である。密封ピストン６はまた出口３の方向に付勢するばね（図示せず）を具え、その結果、迅速接続コネクタを開くためには、相当量の力が旋回レバー７’に作用する。この構成およびコレット５の組立部品および動作は慨して上述の米国特許に対応するので、この米国特許をここに引用する。
【００１３】
摺動スリーブ８の移動のために、操作装置７は旋回レバー７’を有し、この旋回レバー７’はハウジング１の相対する両側面の長手軸１’の位置に旋回可能に搭載され、ハウジング１から両半分をブラケットに結合する円弧に伸びる。このレバーあるいはブラケットの構造は、迅速接続コネクタの寸法に適合させる。本実施例においては、旋回ブラケット７’はガスボンベバルブの開口部（ポート）の周囲をを旋回可能である。
【００１４】
図３は、旋回レバー７’がハウジング１の長手軸１’に略直角である開位置における旋回レバー７’を示す。この位置から、旋回レバー７’は図１に示す位置、すなわち接続位置に旋回できる。一方、図２は約４５度旋回した中間位置を示す。図２においては摺動ブロック９は凹部８’の中央の約２０％高い位置にあるので、図１の終着位置においては摺動ブロック９は上端部に当たり、図３の開位置においては下端部に当たる。その結果、制限停止部位Aが形成され、旋回レバー７’の更なる移動を阻止する。図１の接続位置における旋回レバーの方位のため、旋回レバー７’の外端部は長手方向の中央平面の下方に存在し、中央平面と鋭角を形成する。この位置により、旋回レバー７’あるいはブラケット７’の重量を含む更なる安全機能が提供される。
【００１５】
軸受区域において、旋回レバー７’はその各側に、長手軸１’（図１および図２参照）および取付けねじ１２’に対して偏心し、摺動ブロック９（この場合は略正方形である）に結合する偏心ディスク１２を具える。摺動ブロック９は（長方形の）凹部８’に嵌合し、この凹部８’は摺動ブロック９より摺動スリーブ８の所望の動きだけ多少高い。凹部８’は、偏心ディスク１２が約９０度回転可能であり、開位置（図３および図４）と接続位置（図１）のための停止限界を提供する構造を有する。
【００１６】
迅速接続コネクタの機能を図４を参照して説明する。図４（および図３）に示す開位置において、コレット５は、接続物、特にガスボンベ、に結合するために開かれた状態である。次に、旋回ブラケット７’は旋回し、これに応じて摺動スリーブ８は待避位置に存在する（ここでは右）。このことはまた図１乃至図３の比較により明らかである。これらの図においては、ハウジング１の（右側の）孔Bが漸次覆われる。スロット１１内のボルト１０は最後部（右）に位置し、密封ピストン６はばねの作用によりボルト１０に接する。迅速接続コネクタが次にノズルあるいはねじの切られた接続部に付着すると、これにより密封ピストン６は、コレット５がねじ山に位置し確実に係合するまでハウジング１内に押し込まれる。操作者は迅速接続コネクタを接近位置で保持し、旋回レバー７’を図１に示す位置に旋回させる。ブラケットあるいは旋回レバー７’のこの旋回運動の間に摺動スリーブ８は、凹部８’内の偏心ディスク１２および摺動ブロック９の、或いは、偏心ディスク１２または摺動ブロック９の、制御される係合によって、出口３に向かって（図では左に向かって）押圧されて、特にコレット５の形状である迅速接続装置４は係止される。当然のことながら、雌ねじに対するコレット５の拡張運動は、ガスボンベバルブの外形の拡張運動とは反対である。雌ねじとともに、面シールがシーリング台座とのシーリング接触のために設けられる。上述の迅速継手の実施例において、９０度旋回により容易で確実な特にガスボンベを充填するための迅速接続継手が提供することが出来、摺動ブロックの広い接触面により大きいばね力があっても高い耐久性と低い磨耗が確保できる。
【図１】
2013536375.tif 000003
【図２】
2013536375.tif 000004
【図３】
2013536375.tif 000005
【図４】
2013536375.tif 000006
【国際調査報告】
2013536375.tif 000007
2013536375.tif 000008
2013536375.tif 000009
2013536375.tif 000010